(57)【要約】【課題】装置内にある内部情報源、ネットワークにより接続された外部情報源の情報検索に関し、内部情報源及び外部情報源の双方の横断検索による情報検索の効率化及び／又は迅速化を図ることにある。【解決手段】装置内にある内部情報源（記憶装置６）、ネットワーク（８）により接続された外部情報源（インターネットサーバ１０、１０１、１０２・・・１０ｎ）の情報検索に関し、付与された検索条件に基づき、前記内部情報源、前記外部情報源の区別なく、同時に又はその一方から他方に連続して検索し、その検索結果を提示することにある。斯かる構成では、内部情報源及び外部情報源の双方の横断検索による情報検索の効率化及び／又は迅速化が図られる。また、その検索結果について、前記検索結果に前記検索条件との一致度に応じて順位付けをし、それを提示すれば、検索条件に対する検索結果の評価機能の向上が図られる。【選択図】図２
2008217600.tif 000002
【特許請求の範囲】
【請求項１】
装置内にある内部情報源、ネットワークにより接続された外部情報源の検索機能を備える情報検索装置であって、
入力された検索条件に基づき、前記内部情報源及び前記外部情報源を同時に又はその一方から他方に連続して検索する検索部と、
前記検索部の検索結果を提示する情報提示部と、
を備えたことを特徴とする情報検索装置。
【請求項２】
請求項１の情報検索装置において、
前記検索部は、前記検索結果に前記検索条件との一致度に応じて順位付けをし、
前記情報提示部は、順位付けされた前記検索結果を提示する
ことを特徴とする情報検索装置。
【請求項３】
請求項１の情報検索装置において、
前記検索部は、前記内部情報源及び前記外部情報源の各検索結果を統合し、その統合結果に順位付けをすることを特徴とする情報検索装置。
【請求項４】
請求項３の情報検索装置において、
前記情報提示部は、順位付けされた前記統合結果の提示、統合前に順位付けされた検索結果の何れか一方又は双方を提示することを特徴とする情報検索装置。
【請求項５】
請求項１の情報検索装置において、
前記検索部は、前記検索結果に情報を識別する識別情報、情報内容、前記検索条件との一致度の何れかを付加することを特徴とする情報検索装置。
【請求項６】
装置内にある内部情報源、ネットワークにより接続された外部情報源にある情報を検索する情報検索方法であって、
検索条件に基づき、前記内部情報源及び前記外部情報源を同時に又はその一方から他方に連続して検索するステップと、
検索結果を提示するステップと、
を含むことを特徴とする情報検索方法。
【請求項７】
コンピュータにより実行され、コンピュータ内にある内部情報源、ネットワークにより接続された外部情報源にある情報を検索する情報検索プログラムであって、
検索条件に基づき、前記内部情報源及び前記外部情報源を同時に又はその一方から他方に連続して検索するステップと、
検索結果を提示するステップと、
を含むことを特徴とする情報検索プログラム。
【請求項８】
コンピュータ内にある内部情報源、ネットワークにより接続された外部情報源にある情報を検索する情報検索プログラムがコンピュータで実行可能に格納された記録媒体であって、
検索条件に基づき、前記内部情報源及び前記外部情報源を同時に又はその一方から他方に連続して検索するステップと、
検索結果を提示するステップと、
を含む情報検索プログラムをコンピュータに読み取り可能に格納したことを特徴とする記録媒体。
【発明の詳細な説明】
【技術分野】
【０００１】
本発明は、パーソナルコンピュータ等にインストールされたソフトウェアの情報検索機能やインターネット公開サーバの検索機能に関し、ハードディスク内コンテンツ等の内部情報源と、Ｗｅｂ（World Wide Web）上のコンテンツ等の外部情報源の情報検索をする情報検索装置、情報検索方法、情報検索プログラム及び記録媒体に関する。
【背景技術】
【０００２】
コンテンツ等の各種情報の検索機能として、コンピュータの記憶装置にある情報を検索するための検索エンジンや、インターネット上に公開されているＷｅｂページから取得した情報をデータベースにしてＷｅｂページのＵＲＬ（Uniform resource locator）での検索を行うための検索エンジン等がある。情報の検索方法には、検索語によるキーワード検索や、階層化された分類をたどって検索するカテゴリ検索等がある。
【０００３】
このような情報検索に関し、特許文献１には、Ｗｅｂ等のネットワークから情報を収集し、閲覧した情報に対し、識別するための情報位置、閲覧時間等の履歴情報に索引を付けて保存し、情報の閲覧順序と閲覧した情報が引用・相関関係を持つ場合に、引用・相関関係の構造と実際に使われた引用・相関関係とを含めて保存することが開示されている。
【０００４】
また、非特許文献１には、グーグルの検索画面が表示され、予め設定された検索条件をベースに検索ボックスに検索項目又は検索項目のキーワードや記号を入力すれば、Ｗｅｂ上のコンテンツやコンピュータ内のコンテンツを収集し、その項目等を表す情報を画面上に表示することが開示されている。
【特許文献１】特開２００５−１９００６５
【非特許文献１】グーグルデスクトップ（ｈｔｔｐ：／／ｄｅｓｋｔｏｐ．ｇｏｏｇｌｅ．ｃｏ．ｊｐ）
【発明の開示】
【発明が解決しようとする課題】
【０００５】
ところで、情報検索には、コンピュータ内の記憶装置（例えば、ハードディスク）上にあるコンテンツを検索する場合と、インターネット等のＷｅｂページ上にあるコンテンツを検索する場合がある。コンピュータからみれば、内外の情報源を対象とし、別々に検索を実行する必要がある。ユーザからすれば、目的とする情報が得られるのであれば、その情報がコンピュータ内にあるか、Ｗｅｂページ等、コンピュータ外にあるかの何れでもよく、また、検索情報の所在も明らかとなれば、それも貴重な情報となる。
【０００６】
このような情報検索に関し、コンピュータ内検索（内部検索）と、Ｗｅｂページ検索等の外部検索とを別個に行う場合では、ユーザは検索結果を個別に指示し、その検索結果について個別に評価する処理が必要となり、手数を要する。コンピュータ内にそれぞれの検索エンジンが搭載されていても、各検索を独立して行う必要から、内外の情報源について一方の検索結果の評価の後、他方の検索を行うと、一方の検索が無駄となるといった不都合もある。
【０００７】
また、他の情報検索では、ディスクトップ上に表示されたアイコンをクリックすれば検索ボックスが表示され、この検索ボックスに記号や語を入力することで検索が可能である。しかし、この検索が既定の検索条件から異なる検索条件での検索を行うには、設定画面から検索条件を変更した上で新たにディスクトップ上に検索ボックスを表示させる必要があるとすれば、検索に入る前段階の処理で手間取ることになろう。また、検索結果も、コンピュータ内検索の後、Ｗｅｂページ検索に段階的に移行させるための入力を必要とするのであれば面倒であり、また、検索結果を統合表示できない場合には、ユーザが個別に統合評価しなければならず、手数を要する。
【０００８】
斯かる要求や課題について、特許文献１や非特許文献１にはその開示や示唆はなく、それを解決する構成等についての開示や示唆はない。
【０００９】
そこで、本発明の目的は、装置内にある内部情報源、ネットワークにより接続された外部情報源の情報検索に関し、内部情報源及び外部情報源の双方の横断検索による情報検索の効率化及び／又は迅速化を図ることにある。
【００１０】
また、本発明の他の目的は、装置内にある内部情報源、ネットワークにより接続された外部情報源の情報検索に関し、検索条件に対する検索結果の評価機能を向上させることにある。
【課題を解決するための手段】
【００１１】
上記目的を達成するため、本発明は、装置内にある内部情報源、ネットワークにより接続された外部情報源の情報検索に関し、付与された検索条件に基づき、前記内部情報源、前記外部情報源の区別なく、同時に又はその一方から他方に連続して検索し、その検索結果を提示することにある。係る構成では、内部情報源及び外部情報源の双方の横断検索による情報検索の効率化及び／又は迅速化が図られる。また、その検索結果について、前記検索結果に前記検索条件との一致度に応じて順位付けをし、それを提示すれば、検索条件に対する検索結果の評価機能の向上が図られる。即ち、コンテンツの所在にかかわらず、一度検索を行うことで、例えば、ハードディスク等のコンピュータ内記憶装置上のコンテンツとＷＥＢ上のコンテンツを横断的に検索し、検索条件にマッチする順序で両者の区別なく結果リストを表示する構成とすればよい。
【００１２】
そこで、上記目的を達成するため、本発明の第１の側面は、装置内にある内部情報源、ネットワークにより接続された外部情報源の検索機能を備える情報検索装置であって、入力された検索条件に基づき、前記内部情報源及び前記外部情報源を同時に又はその一方から他方に連続して検索する検索部と、前記検索部の検索結果を提示する情報提示部とを備えた構成である。斯かる構成により、上記目的が達成される。
【００１３】
上記目的を達成するためには、上記情報検索装置において、好ましくは、前記検索部は、前記検索結果に前記検索条件との一致度に応じて順位付けをし、前記情報提示部は、順位付けされた前記検索結果を提示する構成としてもよいし、また、前記検索部は、前記内部情報源及び前記外部情報源の各検索結果を統合し、その統合結果に順位付けをする構成としてもよいし、また、前記情報提示部は、順位付けされた前記統合結果の提示、統合前に順位付けされた検索結果の何れか一方又は双方を提示する構成としてもよいし、また、前記検索部は、前記検索結果に情報を識別する識別情報、情報内容、前記検索条件との一致度の何れかを付加する構成としてもよい。斯かる構成としても上記目的が達成される。
【００１４】
上記目的を達成するため、本発明の第２の側面は、装置内にある内部情報源、ネットワークにより接続された外部情報源にある情報を検索する情報検索方法であって、検索条件に基づき、前記内部情報源及び前記外部情報源を同時に又はその一方から他方に連続して検索するステップと、検索結果を提示するステップとを含む構成である。斯かる構成の検索方法であっても上記目的が達成される。
【００１５】
上記目的を達成するため、本発明の第３の側面は、コンピュータにより実行され、コンピュータ内にある内部情報源、ネットワークにより接続された外部情報源にある情報を検索する情報検索プログラムであって、検索条件に基づき、前記内部情報源及び前記外部情報源を同時に又はその一方から他方に連続して検索するステップと、検索結果を提示するステップとを含む構成である。斯かる構成のプログラムであっても上記目的が達成される。
【００１６】
上記目的を達成するため、本発明の第４の側面は、コンピュータ内にある内部情報源、ネットワークにより接続された外部情報源にある情報を検索する情報検索プログラムがコンピュータで実行可能に格納された記録媒体であって、検索条件に基づき、前記内部情報源及び前記外部情報源を同時に又はその一方から他方に連続して検索するステップと、検索結果を提示するステップとを含む情報検索プログラムをコンピュータに読み取り可能に格納した構成である。斯かる構成の記録媒体であっても上記目的が達成される。
【発明の効果】
【００１７】
本発明によれば、次のような効果が得られる。
【００１８】
(1) 装置内にある内部情報源、ネットワークにより接続された外部情報源の情報検索に関し、内部情報源及び外部情報源の双方を横断検索するので、情報検索の効率化及び／又は迅速化を図ることができる。
【００１９】
(2) 装置内にある内部情報源、ネットワークにより接続された外部情報源の情報検索に関し、検索条件に対する検索結果の評価機能を向上させることができ、検索結果の利用性が高められる。
【００２０】
そして、本発明の他の目的、特徴及び利点は、添付図面及び各実施の形態を参照することにより、一層明確になるであろう。
【発明を実施するための最良の形態】
【００２１】
〔第１の実施の形態〕
【００２２】
本発明の第１の実施の形態について、図１を参照する。図１は、第１の実施の形態に係る情報検索システムの一例を示す図である。
【００２３】
この情報検索システム２は、情報検索装置、情報検索方法、情報検索プログラム及び記録媒体の一例であって、装置内外の情報源が検索可能な情報検索装置４を備え、この情報検索装置４には、装置内に内部情報源として記憶装置６が設置され、ネットワーク８により接続された外部情報源として単一又は複数のインターネットサーバ１０として例えば、インターネットサーバ１０１、１０２・・・１０ｎが接続されている。記憶装置６は、単一でもよいし、複数であってもよい。ネットワーク８も単一でもよいし、複数が連携していてもよい。そして、情報検索装置４は、検索条件に応じて記憶装置６とインターネットサーバ１０１、１０２・・・１０ｎの何れか一方に対して情報検索を行い、又は両者に対して横断的に情報検索を行う機能を備えている。この場合、インターネットサーバ１０１、１０２・・・１０ｎが、情報を提供する情報源としての記憶装置６を備えた情報検索装置４で構成されてもよい。
【００２４】
次に、この情報検索システム２の構成例について、図２を参照する。図２は、情報検索システムの構成例を示す図である。図２において、図１と同一部分には同一符号を付してある。
【００２５】
この情報検索システム２では、インターネットサーバ１０１、１０２・・・１０ｎの一例として符号１０を付してインターネットサーバを示している。
【００２６】
情報検索装置４は情報の検索処理が可能なコンピュータで構成され、記憶装置６、入力装置１２、処理装置１４、通信機能部１６及び出力装置１８を備えている。記憶装置６は、情報検索装置４の装置内に設置された内部情報源であって、設定ファイル２０、ローカルデータベース（ＤＢ）２２、ローカルファイル２４、メールデータベース（ＤＢ）２６、メールファイル２８等を備えている。設定ファイル２０には、検索対象、一致度判定項目、コンバート定義等の設定情報が格納されている。検索対象は、検索項目や検索情報源を表す情報であり、一致度判定項目は、検索条件との一致度を判定するための項目を表す情報であり、コンバート定義は、内部情報源の検索結果と外部情報源の検索結果とを同一の判定対象にコンバートする定義を表す情報である。ローカルＤＢ２２及びローカルファイル２４にはメール文書以外の文書等各種情報が格納され、メールＤＢ２６及びメールファイル２８にはメール文書が格納されている。このメール文書には写真等の画像が含まれてもよい。
【００２７】
入力装置１２は例えば、キーボード等で構成され、検索条件、出力装置１８に提示されたダイアログ表示画面からの情報選択等、各種コマンド等の入力に用いられる入力手段である。
【００２８】
処理装置１４は、入力された検索条件に基づき、既述の内部情報源及び外部情報源を同時に又はその一方から他方に連続して検索する等、検索処理を実行するための検索部であって、プログラムの実行によってプロセッサ７０（図２）やＲＡＭ（Random-Access Memory）７８（図２）から構成され、この実施の形態では、コマンド解析部３０、検索処理部３２、ローカル検索実行部３４、ＷＥＢ（World Wide Web）検索実行部３６、検索結果統合処理部３８、画面表示処理部４０を備えている。コマンド解析部３０は、入力装置１２から入力されたコマンドを解析する機能部であって、例えば、入力された検索条件を解析し、その解析結果を検索処理部３２に渡す。
【００２９】
検索処理部３２は、検索条件の解析結果を受け、記憶装置６からの検索対象、一致度判定項目、コンバート定義に従って検索処理を開始させ、検索結果を検索結果統合処理部３８に渡す機能部であって、検索対象設定部４２、ローカル検索処理部４４及びＷＥＢ検索処理部４６を備えている。検索対象設定部４２は、記憶装置６にある検索対象、一致度判定項目、コンバート定義を選択し、ローカル検索処理部４４及びＷＥＢ検索処理部４６に設定する。ローカル検索処理部４４は、その設定に基づき、ローカル検索実行部３４にローカル検索を指示し、ローカル検索実行部３４から検索結果を受け取る。また、ＷＥＢ検索処理部４６は、検索対象設定部４２からの設定に基づき、ＷＥＢ検索実行部３６にＷＥＢ検索を指示し、ＷＥＢ検索実行部３６から検索結果を受け取る。
【００３０】
ローカル検索実行部３４は、記憶装置６のローカルＤＢ２２やメールＤＢ２６の検索を実行し、その検索結果を一覧化する実行機能部であって、検索実行部４８及び検索結果一覧化処理部５０を備える。検索実行部４８はローカルＤＢ２２やメールＤＢ２６の検索を実行し、検索結果一覧化処理部５０は、ローカルＤＢ２２やメールＤＢ２６から得られた検索結果の一覧化処理をし、その処理結果をローカル検索処理部４４に渡す。
【００３１】
ＷＥＢ検索実行部３６は、インターネットサーバ１０との通信により、インターネットサーバ１０側にある情報の検索、検索条件との一致度に応じた変換、その検索結果の一覧化処理を行う実行機能部であって、検索実行部５２、一致度コンバート部５４及び検索結果一覧化処理部５６を備える。検索実行部５２は、インターネットサーバ１０側にある情報の検索を実行し、一致度コンバート部５４は、その検索結果について検索条件との一致度に応じた変換を行い、検索結果一覧化処理部５６は検索結果の一覧化処理を実行し、その処理結果をＷＥＢ検索処理部４６に渡す。
【００３２】
検索結果統合処理部３８は、検索処理部３２からローカル検索結果とＷＥＢ検索結果とを受け、両者の統合処理を行う。この統合処理は、検索結果に検索条件との一致度に応じて順位付けをする処理であって、ローカル検索結果及びＷＥＢ検索結果の区別なく一致度に応じて順位付けをする処理である。その順位付けは一致度に応じて検索結果である情報項目の並び替えを行う処理である。
【００３３】
画面表示処理部４０は、出力装置１８に対する検索結果の提示を制御する機能部であるとともに、メッセージを生成する生成部であって、出力装置１８に検索結果を提供し、出力装置１８がディスプレイで構成される場合、その表示画面の画面表示を制御する。
【００３４】
通信機能部１６は、外部情報源との通信を担当する機能部であって、この実施の形態では、ネットワーク８を通じてインターネットサーバ１０との通信を行い、情報の送受を行う。通信は、有線である必要はなく、電波等の通信媒体を用いた無線であってもよい。
【００３５】
出力装置１８は、処理装置１４の検索結果を提示する情報提示部の一例であって、ＬＣＤ（Liquid Crystal Display）等のディスプレイで構成され、画面表示処理部４０から提供される提示情報を視認可能に表示する。この出力装置１８はダイアログ表示画面を表示させて情報の入力部としても用いられる。出力装置１８は、音声出力を提示する構成としてもよく、プリンタで構成してもよい。
【００３６】
また、インターネットサーバ１０は、情報検索装置４の検索指示により情報検索が可能な外部情報源の一例であって、検索実行部５８及び記憶装置６０を備えている。検索実行部５８は、情報検索装置４の通信機能部１６とネットワーク８を通じて通信接続され、検索実行部５２から検索条件等が提示され、記憶装置６０にある情報の検索を実行し、その検索結果をＷＥＢ検索実行部３６に渡す。記憶装置６０はＷＥＢデータベース（ＤＢ）６２及びＷＥＢファイル６４を備え、各種の情報を格納している。
【００３７】
次に、情報検索装置４のハードウェアについて、図３及び図４を参照する。図３は、情報検索装置の一例を示す図、図４は、情報検索装置の外観を示す図である。図３及び図４において、図２と同一部分には同一符号を付してある。
【００３８】
この情報検索装置４は、既述の通り、情報の検索機能や通信機能を備えたコンピュータであって、記憶装置６、通信機能部１６、入力装置１２、出力装置１８、記憶部６６、入力部６８、プロセッサ７０を備え、これらはバス７２で接続されている。
【００３９】
記憶部６６は例えば、ＲＯＭ（Read-Only Memory）で構成され、格納情報をコンピュータで読み取り可能な記録媒体であって、プログラム記録部７４、データ記録部７６及びＲＡＭ７８を備えている。プログラム記録部７４には、基本プログラムであるＯＳ（Operating System）、アプリケーションプログラムである情報検索プログラム、画面表示プログラム等が格納され、データ記録部７６には検索結果等の各種情報が格納される。ＲＡＭ７８はワークエリアを構成し、プログラムの実行に基づき、このＲＡＭ７８とプロセッサ７０とにより、既述の処理装置１４（図２）が情報検索装置４に構成される。
【００４０】
プロセッサ７０は中央演算処理部であって、例えば、ＣＰＵ（Central Processing Unit ）又はＭＰＵ（Micro Processor Unit）で構成される。その他の構成は図２と共通符号を付し、その説明を省略する。
【００４１】
この情報検索装置４は図４に示すように、例えば、パーソナルコンピュータで構成され、筐体部８０と筐体部８２とをヒンジ部８４を以て折畳み可能に構成され、筐体部８０には、出力装置１８のディスプレイ部分を除くハードウェア（図３）が内蔵され、筐体部８０の上面には入力装置１２のキーボード８６が設置されている。筐体部８２には、出力装置１８の画面表示部８８が設置されている。出力装置１８にプリンタが用いられる場合、そのプリンタは、筐体部８０に設置されたＵＳＢコネクタやネットワークコネクタに接続される。
【００４２】
次に、インターネットサーバ１０のハードウェアについて、図５を参照する。図５はインターネットサーバの構成例を示す図である。図５において、図２と同一部分には同一符号を付してある。
【００４３】
このインターネットサーバ１０は、情報の検索機能や通信機能を備えたコンピュータであって、記憶装置６０、通信機能部９０、記憶部９２、プロセッサ９４を備え、これらはバス９６で接続されている。
【００４４】
記憶部９２は例えば、ＲＯＭで構成され、コンピュータで読み取り可能に情報を格納した記録媒体であって、プログラム記録部９８、データ記録部１１２及びＲＡＭ１１４を備えている。プログラム記録部９８には、基本プログラムであるＯＳ、アプリケーションプログラムである情報検索プログラム、画面表示プログラム等が格納され、データ記録部１１２には検索結果等の各種情報が格納される。ＲＡＭ１１４はワークエリアを構成し、プログラムの実行に基づき、このＲＡＭ１１４とプロセッサ９４とにより、既述の検索実行部５８（図２）がインターネットサーバ１０に構成される。また、プロセッサ９４は中央演算処理部であって、例えば、ＣＰＵ又はＭＰＵで構成される。その他の構成は図２と共通符号を付し、その説明を省略する。
【００４５】
この情報検索システムの処理手順について、図６を参照する。図６は、情報検索システムの情報検索方法及び情報検索プログラムの処理手順の一例を示すフローチャートである。
【００４６】
この処理手順には、検索条件の設定、情報検索、検索結果の順位付け処理、検索結果の表示の各処理が含まれている。この処理手順では、情報検索プログラムを立ち上げると、検索条件を設定するか否かが問われ、検索条件の確認や設定をする場合には、検索条件の設定画面、即ち、出力装置１８の表示画面にダイアログ画面を展開し、検索条件の設定をする（ステップＳ１）。この場合、検索条件の設定処理には、現状の設定を維持する場合、その設定を確認する場合も含まれる。
【００４７】
この検索条件の設定の後、検索に移行する。この検索は、検索キーワードを入力すれば、設定されている検索条件に従って検索が実行される（ステップＳ２）。この情報検索は、インターネットサーバ１０及び記憶装置６を同時に又はその一方から他方に連続して行う。
【００４８】
検索結果は検索条件との一致度により順位付けが行われ（ステップＳ３）、順位付けされた検索結果が出力装置１８の画面表示部８８（図４）の表示画面に表示され（ステップＳ４）、この処理を終了する。
【００４９】
この検索処理では、情報検索装置４の内外にある情報源の区別なく、記憶装置６及びインターネットサーバ１０の情報を横断的に検索し、その検索結果を統合し、一致度に応じて順位付けして表示することができる。ユーザは、検索条件を設定するのみで幅広く検索対象を拡大し、検索条件との一致度に応じて順位付けされた検索結果を取得し、その検索結果を活用することができる。しかも、記憶装置６の検索の後、インターネットサーバ１０に検索を移行させるという手間がなく、検索の効率化、迅速化が図られる。
【００５０】
次に、検索画面について、図７を参照する。図７は、検索画面の一例を示す図である。図７において、図４と同一部分には同一符号を付してある。
【００５１】
この検索画面１１６は、情報検索装置４とユーザとが対話するダイアログ画面の一例であって、出力装置１８の画面表示部８８に展開される。この検索画面１１６には、タイトル表示部１１８と入力表示部１２０とが表示され、タイトル表示部１１８には、画面の種別を表すタイトル表示として「検索画面」と表示され、また、入力表示部１２０には設定ボタン１２２、キーワード入力ボックス１２４及び検索ボタン１２６が表示されている。設定ボタン１２２は、検索条件の設定に移行するための入力ボタンであり、この設定ボタン１２２にカーソルを合わせてクリックすれば、入力が確定されて設定画面に移行する。キーワード入力ボックス１２４は、検索キーワードを入力する入力欄である。また、検索ボタン１２６はキーワード入力ボックス１２４に入力された検索キーワードの検索に移行させるための入力部であって、カーソルを合わせてクリックすれば、入力が確定され、検索に移行する。
【００５２】
次に、検索条件の設定画面について、図８を参照する。図８は、検索条件の設定画面の一例を示す図である。図８において、図４と同一部分には同一符号を付してある。
【００５３】
この検索条件の設定画面１２８は、情報検索装置４とユーザとが対話するダイアログ画面の一例であって、出力装置１８の画面表示部８８に展開される。この設定画面１２８には、タイトル表示部１３０と、設定内容表示部１３２と、選択部１３４とが表示され、タイトル表示部１３０には、画面の種別を表すタイトル表示として「検索条件の設定画面」と表示され、設定内容表示部１３２には、「同時検索の範囲」を指定する検索範囲表示部１３６と、「一致度による並び順の判定対象」を指定する判定条件表示部１３８とが設定されている。検索範囲表示部１３６には、同時検索の対象範囲を表すタイトル、選択可能な文書、検索機能、メール等の表示として、
(a) ハードディスクにある文書
(b) ＷＥＢにある検索機能
(c) メール
が、ダイアログボックス１４０に対するチェック入力により選択可能に表示されている。「ハードディスクにある文書」は、記憶装置６のローカルＤＢ２２やローカルファイル２４に格納されている文書情報である。「ＷＥＢにある検索機能」では、設定された表示欄１４２に複数の検索サイトのＵＲＬが表示され、ユーザによって追加又は削除が可能である。この「ＷＥＢにある検索機能」の表示欄１４２の下には、検索結果であるＵＲＬリストの編集処理を指示するための「ＵＲＬリストを編集」と表示された編集指示ボタン１４４が表示されている。この編集指示ボタン１４４にカーソルを重ね、クリックすれば、その処理が指定される。また、「メール」は、記憶装置６のメールＤＢ２６やメールファイル２８に格納されているメール文書情報である。
【００５４】
判定条件表示部１３８には、一致度による並び順の判定対象を表すタイトル、一致度の判定基準として、
(d) 文書・メールの本文
(e) 文書・メールのタイトル
(f) 文書・メールの送信時刻
(g) 文書・メールのサイズ
・・・・・・・・・・・・
がダイアログボックス１４６により選択可能に表示されている。
【００５５】
また、選択部１３４には、設定条件の保存を指示するための「設定条件を保存」と表示された設定指示ボタン１４８と、設定をキャンセルするための「キャンセル」と表示されたキャンセル指示ボタン１５０とが表示されている。
【００５６】
次に、検索条件の確認及び／又は設定について、図９を参照する。図９は、検索条件の確認及び設定の処理手順の一例を示すフローチャートである。
【００５７】
検索条件の設定の処理手順では、情報検索の検索画面１１６（図７）の設定ボタン１２２をクリックすることにより、検索条件の設定画面１２８（図８）に移行し、この設定画面１２８から現在設定されている検索対象や一致度判定項目等の検索条件の確認が行える（ステップＳ１１）。そこで、ダイアログ画面として設定画面１２８を表示させ（ステップＳ１２）、この設定画面１２８の表示内容から、現在設定されている検索条件の確認、新たな設定入力又は設定内容の変更をする。
【００５８】
この設定画面の終了では、設定が変更されたか否かが判定され（ステップＳ１３）、設定が変更された場合（ステップＳ１３のＹＥＳ）には、検索条件を更新し（ステップＳ１４）、ダイアログ画面（検索条件の設定画面１２８：図８）を閉じ（ステップＳ１５）、この処理を終了する。また、設定が変更されなかった場合（ステップＳ１３のＮＯ）には、ダイアログ画面を閉じ（ステップＳ１５）、この処理を終了する。
【００５９】
次に、検索条件の設定画面の設定について、図１０を参照する。図１０は、検索条件の設定画面を用いた検索条件設定の処理手順の一例を示すフローチャートである。
【００６０】
この検索条件設定の処理手順では、出力装置１８の画面表示部８８に検索条件の設定画面１２８（図８）を表示し（ステップＳ２１）、図８に示す設定画面１２８に表示された同時検索の範囲の設定欄、一致度による並び順の判定対象の選択欄のダイアログボックスから選択し（ステップＳ２２）、選択された設定条件を保存（又はキャンセル）し（ステップＳ２３）、この処理を終了する。
【００６１】
このような設定画面を用いて検索条件の入力、変更等の設定を行えば、検索条件の設定が容易に行える。
【００６２】
次に、情報検索の処理手順について、図１１を参照する。図１１は、検索画面を用いた情報検索の処理手順の一例を示すフローチャートである。
【００６３】
情報検索では、検索画面１１６（図７）に対し、検索キーワードの入力及び検索ボタン１２６を操作する（ステップＳ３１）。これによりローカル検索が可能であり、ＷＥＢ検索に移行するにはネットワーク８に接続されているか否かを検出し、ネットワーク８に接続した状態であれば、ＷＥＢ検索機能を有効にする（ステップＳ３２）。
【００６４】
ローカル検索では、検索キーワードをローカル検索実行部３４に渡し、これにより記憶装置６のローカル検索が実行され、その検索結果を記憶装置６より受け取る（ステップＳ３３）。
【００６５】
また、ＷＥＢ検索では、検索キーワードをＷＥＢ検索実行部３６に渡し、これによりインターネットサーバ１０でＷＥＢ検索が実行され、その検索結果をインターネットサーバ１０より受け取る（ステップＳ３４）。
【００６６】
ローカル検索結果及びＷＥＢ検索結果のコンテンツに付された一致度を基準にコンテンツの順位付け処理を実行する（ステップＳ３５）。この処理では、各検索結果の統合処理も行う。
【００６７】
そして、順位付けされた検索結果のリスト表示出力を出力装置１８に渡し、リスト表示を行う。この表示では、ローカル検索結果、ＷＥＢ検索結果又は統合処理の検索結果の表示を行う。
【００６８】
次に、複数の情報源の横断的検索の処理シーケンスについて、図１２を参照する。図１２は、記憶装置及びインターネットサーバのコンテンツ検索の処理シーケンスの一例を示すフローチャートである。
【００６９】
この実施の形態では、情報検索装置４の内部情報源として記憶装置６が設置され、情報検索装置４の外部情報源としてインターネットサーバ１０が存在しているので、処理シーケンスでは、記憶装置６の検索処理を内部処理、インターネットサーバ１０の検索処理を外部処理とし、情報検索装置４側の実行処理とインターネットサーバ１０側の実行処理とを対応させている。この処理シーケンスにおいて、インターネットサーバ１０は、単一又は複数のインターネットサーバ１０１、１０２・・・１０ｎを含むものとする。
【００７０】
そこで、この処理手順では、キーワード入力ボックス１２４（図７）に検索キーワードを入力し、検索ボタン１２６をクリックすると、検索が実行される（ステップＳ４１）。この例では、ローカル検索が先行し、内部コンテンツについてのローカル検索が実行され（ステップＳ４２）、設定された検索条件（図８）により記憶装置６のローカルＤＢ２２及びメールＤＢ２６の検索が行われ（ステップＳ４３）、ヒットしたファイルの一覧が作成され（ステップＳ４４）、そのローカル検索結果の受取りが行われる（ステップＳ４５）。
【００７１】
このようなローカル検索に続いて、ＷＥＢ検索の実行（ステップＳ４６）に入り、その実行指示がインターネットサーバ１０に指示される（ステップＳ４７）。この指示を受けたインターネットサーバ１０では、外部コンテンツについてのＷＥＢ検索が実行され、検索実行部５８で記憶装置６０のＷＥＢ−ＤＢ６２及びＷＥＢファイル６４の検索が行われ（ステップＳ４８）、その検索結果が情報検索装置４に転送される（ステップＳ４９）。
【００７２】
情報検索装置４では、ヒットしたファイルの一覧が作成され（ステップＳ５０）、そのＷＥＢ検索結果の受け取りが行われる（ステップＳ５１）。そこで、ローカル検索結果とＷＥＢ検索結果とを統合し（ステップＳ５２）、その検索結果の一致度順での並び替えを行い（ステップＳ５３）、画面表示部８８の表示画面を生成し（ステップＳ５４）、一致度に応じて順位付けされた検索結果が順位とともに表示される。この検索結果の表示は、ローカル検索結果、ＷＥＢ検索結果、統合検索結果を個別に表示してもよい。
【００７３】
次に、検索結果の表示例について、図１３、図１４及び図１５を参照する。図１３は、ローカル検索結果の表示画面の一例を示す図、図１４は、ＷＥＢ検索結果の表示画面の一例を示す図、図１５は、ローカル及びＷＥＢ検索結果の統合検索結果の表示画面の一例を示す図である。図１３、図１４及び図１５において、図４と同一部分には同一符号を付してある。
【００７４】
ローカル検索結果では、図１３に示すように、表示画面１５２が表示され、この表示画面１５２は、ローカル検索結果の一覧表示の一例であり、表示欄１５４には連番表示部１５６、ファイル名表示部１５８、タイトル表示部１６０、概要表示部１６２、一致度表示部１６４が形成されている。連番表示部１５６には一致度に応じた順位付け番号が表示され、ファイル名表示部１５８には検索結果を表すファイル名が表示され、タイトル表示部１６０にはその情報のタイトルが表示され、概要表示部１６２には検索結果情報を特定するための語句や文書の一部例えば、冒頭文の一部が表示され、一致度表示部１６４には一致度を表すパーセンテージの数値が表示される。
【００７５】
ＷＥＢ検索結果では、図１４に示すように、表示画面１６６が表示され、この表示画面１６６は、ＷＥＢ検索結果の一覧表示の一例であって、ローカル検索結果と同様に表示欄１５４が形成され、ローカル検索結果と同様に表示される。
【００７６】
また、統合検索結果では、図１５に示すように、表示画面１６８が表示され、この表示画面１６８は、統合検索結果の一覧表示の一例であって、ローカル検索結果と同様に表示欄１５４が形成され、ローカル検索結果及びＷＥＢ検索結果と同様に表示されるが、表示内容は両者の統合結果が表示されており、一致度はローカル検索結果及びＷＥＢ検索結果の区別なく、横断的に一致度が統合評価され、一致度に応じた順位付けが行われている。連番の番号は、両者の統合結果の順位付けされた順位を表す数値であり、小さい程その順位が高いことを表している。
【００７７】
以上説明したように、この実施の形態では、情報検索装置４を構成するコンピュータのハードディスク等の記憶装置６及び外部のインターネットサーバ１０の区別なく情報の検索を行うことができ、その検索結果をローカル検索結果、ＷＥＢ検索結果として受け取り、その統合処理を実行し、ローカル検索結果、ＷＥＢ検索結果及び統合結果について一致度に応じた順位付け処理を行い、それらを一覧表に表示するので、検索の効率化、迅速化及び検索結果の利用性を向上させることができる。
【００７８】
なお、図１１に示す処理手順では、ネットワークに接続されている場合に、ＷＥＢ検索を有効にする処理を実行しているが例えば、図１６に示すような処理手順を経てＷＥＢ検索機能の有効化を実現してもよい。
【００７９】
この処理手順では、検索キーワードの入力及び検索ボタン１２６の操作（ステップＳ６１）の後、ネットワークに接続されているか否かを判定し（ステップＳ６２）、その判定の結果、ネットワークに接続されていない場合（ステップＳ６２のＮＯ）には、ネットワーク接続の要請メッセージを例えば、図１７に示すように、検索画面１１６に接続の要請メッセージ１７０を表示し（ステップＳ６３）、その接続を要請する。ユーザがネットワーク接続を行い、又は行っていれば（ステップＳ６２のＹＥＳ）、ＷＥＢ検索機能が有効化され（ステップＳ６４）、ＷＥＢ検索が実行される（ステップＳ６５）。
【００８０】
この場合、ＷＥＢ検索を行わない場合には、検索条件の設定画面１２８（図８）に移行し、ＷＥＢにある検索機能のダイアログボックス１４０からチェックを外すことにより、ローカル検索のみに変更することができる。
【００８１】
〔第２の実施の形態〕
【００８２】
次に、本発明の第２の実施の形態について、図１８を参照する。図１８は、第２の実施の形態に係る検索処理の処理シーケンスの一例を示すフローチャートである。
【００８３】
第１の実施の形態では、図１２に示すように、ローカル検索の後、ＷＥＢ検索を実行しているが、第２の実施の形態では、図１８に示すように、ローカル検索とＷＥＢ検索とを同時に実行する構成である。
【００８４】
この実施の形態においても、図１及び図２の情報検索システム２が用いられ、インターネットサーバ１０は、単一又は複数のインターネットサーバ１０１、１０２・・・１０ｎを含むものとする。
【００８５】
この処理手順では、キーワード入力ボックス１２４（図７）に検索キーワードを入力し、検索ボタン１２６をクリックすると、検索が実行される（ステップＳ７１）。この実行指示により、ローカル検索及びＷＥＢ検索が実行され（ステップＳ７２）、インターネットサーバ１０には、情報検索装置４からＷＥＢ検索の指示が発せられる（ステップＳ７３）。情報検索装置４では、ローカル検索の実行指示を受け、設定された検索条件（図８）により記憶装置６のローカルＤＢ２２及びメールＤＢ２６の検索が行われ（ステップＳ７４）、ヒットしたファイルの一覧が作成され（ステップＳ７５）、そのローカル検索結果の受取りが行われる（ステップＳ７６）。
【００８６】
このようなローカル検索に並行し、ＷＥＢ検索の実行指示を受けたインターネットサーバ１０では、ＷＥＢ検索が実行され、検索実行部５８で記憶装置６０のＷＥＢ−ＤＢ６２及びＷＥＢファイル６４の検索が行われる（ステップＳ７７）。この場合、インターネットサーバ１０では、ヒットしたファイルの一覧の作成が行われ（ステップＳ７８）、その検索結果が情報検索装置４に転送される（ステップＳ７９）。
【００８７】
情報検索装置４では、ＷＥＢ検索結果の受け取りを行い（ステップＳ８０）、ローカル検索結果とＷＥＢ検索結果とを統合し（ステップＳ８１）、その検索結果の一致度順での並び替えを行い（ステップＳ８２）、画面表示部８８の表示画面を生成し（ステップＳ８３）、一致度に応じて順位付けされた検索結果が順位とともに表示される。この検索結果の表示では、ローカル検索結果及び／又はＷＥＢ検索結果の表示を省略し、統合検索結果のみを表示する構成としてもよい。
【００８８】
〔第３の実施の形態〕
【００８９】
次に、本発明の第３の実施の形態について、図１９を参照する。図１９は、第３の実施の形態に係る情報処理システムの一例を示す図である。図１９において、図２と同一部分には同一符号を付してある。
【００９０】
この実施の形態の情報検索システム２では、処理装置１４の内部で通信機能部１６が構成され、他の機能部についても、コマンド解析部３０、検索処理部３２、ローカル検索実行部３４、画面表示処理部４０で構成され、検索処理部３２がローカル検索処理部４４、ＷＥＢ検索処理部４６及び検査結果統合処理部３８を以て構成されている。
【００９１】
この実施の形態では、検索処理部３２からの検索指示により、ローカル検索処理部４４及びＷＥＢ検索処理部４６の検索処理が開始され、ローカル検索処理部４４では、検索実行部４８に対して検索開始が指示され、また、ＷＥＢ検索処理部４６では、通信機能部１６を通してインターネットサーバ１０に検索開始が発せられる。
【００９２】
ローカル検索処理部４４からローカル検索実行部３４の検索実行部４８に対して検索開始指示を付与し、検索結果一覧化処理部５０の検索結果一覧をローカル検索処理部４４で受け取る。検索実行部４８は、記憶装置６の検索処理を実行し、記憶装置６から検索結果を受け取る。この実施の形態では、記憶装置６がローカルＤＢ２２、ローカルファイル２４で構成され、検索対象としてメールＤＢ２６、メールファイル２８（図２）が設置されていない。第１の実施の形態と同様に、メールＤＢ２６及びメールファイル２８を設置してもよい。
【００９３】
また、ＷＥＢ検索処理部４６では、検索指示に従い、通信機能部１６に対し、検索開始情報の送信を行わせ、これにより、インターネットサーバ１０での情報検索が開始される。検索実行部５８による記憶装置６０の検索結果である検索結果一覧は、通信機能部１６を通してＷＥＢ検索処理部４６で受け取り、検索結果統合処理部３８に渡される。そこで、検索結果統合処理部３８では、ローカル検索処理部４４に得られているローカル検索結果と、ＷＥＢ検索処理部４６に得られているＷＥＢ検索結果とを統合処理し、一致度に応じた順位付けや一覧表の作成やその表示処理については、第１の実施の形態と同様である。
【００９４】
〔他の実施の形態〕
【００９５】
(1) 上記実施の形態の情報検索システム２では、情報検索装置４にパーソナルコンピュータを用いる場合について説明したが、図２０に示すように、情報検索装置４に携帯電話機等、通信機能を備えた携帯端末装置１７２を用いてもよい。図２０は、携帯端末装置１７２を用いた情報検索システム２を示す図である。
【００９６】
携帯端末装置１７２は、筐体部１７４、１７６をヒンジ部１７８で折畳み可能に構成し、筐体部１７４には入力装置１２のキーボード１８０、筐体部１７６には出力装置１８として画面表示部１８２が形成されている。画面表示部１８２はＬＣＤで構成される。
【００９７】
この携帯端末装置１７２には内部情報源として既述の記憶装置６が設置されている。外部情報源であるインターネットサーバ１０との接続には、ネットワーク８に接続された基地局１８４との無線通信による接続が用いられる。その他の構成は第１の実施の形態と同様であるので、その説明を省略する。
【００９８】
(2) また、情報検索システム２は例えば、図２１に示すように、携帯情報端末機（ＰＤＡ：Personal Digital Assistant）１８６を用いて構成することができる。図２１は、ＰＤＡ１８６を情報検索装置４に用いた情報検索システム２を示す図である。
【００９９】
ＰＤＡ１８６は、筐体部１８８に入力装置１２のキー入力部１９０、出力装置１８として画面表示部１９２が形成されている。画面表示部１９２はＬＣＤで構成される。ＰＤＡ１８６においても、内部情報源として既述の記憶装置６が設置されている。外部情報源であるインターネットサーバ１０との接続には、ネットワーク８に接続された基地局１８４との無線通信による接続が用いられる。その他の構成は第１の実施の形態と同様であるので、その説明を省略する。
【０１００】
(3) 上記実施の形態において、インターネットサーバ１０（１０１、１０２・・・１０ｎ）を本発明の情報検索装置４で構成すれば、インターネットサーバ１０側での情報検索機能や情報の活用をより高めることができる。
【０１０１】
次に、以上述べた本発明の実施の形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【０１０２】
（付記１）  装置内にある内部情報源、ネットワークにより接続された外部情報源の検索機能を備える情報検索装置であって、
入力された検索条件に基づき、前記内部情報源及び前記外部情報源を同時に又はその一方から他方に連続して検索する検索部と、
前記検索部の検索結果を提示する情報提示部と、
を備えたことを特徴とする情報検索装置。
【０１０３】
（付記２）  付記１の情報検索装置において、
前記検索部は、前記検索結果に前記検索条件との一致度に応じて順位付けをし、
前記情報提示部は、順位付けされた前記検索結果を提示する
ことを特徴とする情報検索装置。
【０１０４】
（付記３）  付記１の情報検索装置において、
前記検索部は、前記内部情報源及び前記外部情報源の各検索結果を統合し、その統合結果に順位付けをすることを特徴とする情報検索装置。
【０１０５】
（付記４）  付記１の情報検索装置において、
前記情報提示部は、順位付けされた前記統合結果の提示、統合前に順位付けされた検索結果の何れか一方又は双方を提示することを特徴とする情報検索装置。
【０１０６】
（付記５）  付記１の情報検索装置において、
前記検索部は、前記検索結果に情報を識別する識別情報、情報内容、前記検索条件との一致度の何れかを付加することを特徴とする情報検索装置。
【０１０７】
（付記６）  付記１の情報検索装置において、
前記外部情報源を検索する際に前記ネットワークに接続されていない場合、その旨又は接続要請を表すメッセージを生成する生成部を備えたことを特徴とする情報検索装置。
【０１０８】
（付記７）  付記１の情報検索装置において、
前記内部情報源は、コンピュータに設置されて情報を格納した記憶装置であることを特徴とする情報検索装置。
【０１０９】
（付記８）  付記１の情報検索装置において、
前記外部情報源は、ネットワークにより接続されたサーバ装置又はサーバ装置に接続された記憶装置であることを特徴とする情報検索装置。
【０１１０】
（付記９）  装置内にある内部情報源、ネットワークにより接続された外部情報源にある情報を検索する情報検索方法であって、
検索条件に基づき、前記内部情報源及び前記外部情報源を同時に又はその一方から他方に連続して検索するステップと、
検索結果を提示するステップと、
を含むことを特徴とする情報検索方法。
【０１１１】
（付記１０）  付記９の情報検索方法において、
前記検索結果に前記検索条件との一致度に応じて順位付けをするステップと、
順位付けされた前記検索結果を提示するステップと、
を含むことを特徴とする情報検索方法。
【０１１２】
（付記１１）  付記９の情報検索方法において、
前記内部情報源及び前記外部情報源の各検索結果に前記検索条件との一致度に応じた順位付けをするとともに、前記検索結果の統合結果に順位付けをするステップを含むことを特徴とする情報検索方法。
【０１１３】
（付記１２）  付記１１の情報検索方法において、
順位付けされた前記統合結果の提示、順位付けされた統合前の検索結果の何れか一方又は双方を提示するステップを含むことを特徴とする情報検索方法。
【０１１４】
（付記１３）  付記９の情報検索方法において、
前記検索結果に情報を識別する識別情報、情報内容、前記検索条件との一致度の何れかを付加するステップを含むことを特徴とする情報検索方法。
【０１１５】
（付記１４）  付記９の情報検索方法において、
前記外部情報源を検索する際に前記ネットワークに接続されていない場合、その旨又は接続要請を表すメッセージを生成するステップを含むことを特徴とする情報検索方法。
【０１１６】
（付記１５）  コンピュータにより実行され、コンピュータ内にある内部情報源、ネットワークにより接続された外部情報源にある情報を検索する情報検索プログラムであって、
検索条件に基づき、前記内部情報源及び前記外部情報源を同時に又はその一方から他方に連続して検索するステップと、
検索結果を提示するステップと、
を含むことを特徴とする情報検索プログラム。
【０１１７】
（付記１６）  付記１５の情報検索プログラムにおいて、
前記検索結果に前記検索条件との一致度に応じて順位付けをするステップと、
順位付けされた前記検索結果を提示するステップと、
を含むことを特徴とする情報検索プログラム。
【０１１８】
（付記１７）  付記１５の情報検索プログラムにおいて、
前記内部情報源及び前記外部情報源の各検索結果に前記検索条件との一致度に応じた順位付けをするとともに、前記検索結果の統合結果に順位付けをするステップを含むことを特徴とする情報検索プログラム。
【０１１９】
（付記１８）  付記１７の情報検索プログラムにおいて、
順位付けされた前記統合結果の提示、順位付けされた統合前の検索結果の何れか一方又は双方を提示するステップを含むことを特徴とする情報検索プログラム。
【０１２０】
（付記１９）  付記１５の情報検索プログラムにおいて、
前記検索結果に情報を識別する識別情報、情報内容、前記検索条件との一致度の何れかを付加するステップを含むことを特徴とする情報検索プログラム。
【０１２１】
（付記２０）  付記１５の情報検索プログラムにおいて、
前記外部情報源を検索する際に前記ネットワークに接続されていない場合、その旨又は接続要請を表すメッセージを生成するステップを含むことを特徴とする情報検索プログラム。
【０１２２】
（付記２１）  コンピュータ内にある内部情報源、ネットワークにより接続された外部情報源にある情報を検索する情報検索プログラムがコンピュータで実行可能に格納された記録媒体であって、
検索条件に基づき、前記内部情報源及び前記外部情報源を同時に又はその一方から他方に連続して検索するステップと、
検索結果を提示するステップと、
を含む情報検索プログラムをコンピュータに読み取り可能に格納したことを特徴とする記録媒体。
【０１２３】
（付記２２）  付記２１の記録媒体において、
前記検索結果に前記検索条件との一致度に応じて順位付けをするステップと、
順位付けされた前記検索結果を提示するステップと、
を含む情報検索プログラムをコンピュータに読み取り可能に格納したことを特徴とする記録媒体。
【０１２４】
（付記２３）  付記２１の記録媒体において、
前記内部情報源及び前記外部情報源の各検索結果に前記検索条件との一致度に応じた順位付けをするとともに、前記検索結果の統合結果に順位付けをするステップを含む情報検索プログラムをコンピュータに読み取り可能に格納したことを特徴とする記録媒体。
【０１２５】
（付記２４）  付記２３の記録媒体において、
順位付けされた前記統合結果の提示、順位付けされた統合前の検索結果の何れか一方又は双方を提示するステップを含む情報検索プログラムをコンピュータに読み取り可能に格納したことを特徴とする記録媒体。
【０１２６】
（付記２５）  付記２１の記録媒体において、
前記検索結果に情報を識別する識別情報、情報内容、前記検索条件との一致度の何れかを付加するステップを含む情報検索プログラムをコンピュータに読み取り可能に格納したことを特徴とする記録媒体。
【０１２７】
（付記２６）  付記２１の記録媒体において、
前記外部情報源を検索する際に前記ネットワークに接続されていない場合、その旨又は接続要請を表すメッセージを生成するステップを含む情報検索プログラムをコンピュータに読み取り可能に格納したことを特徴とする記録媒体。
【０１２８】
以上説明したように、本発明の最も好ましい実施の形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【０１２９】
本発明は、装置内にある内部情報源、ネットワークにより接続された外部情報源の情報検索に関し、内部情報源及び外部情報源の双方を横断検索するので、情報検索の効率化及び／又は迅速化を図ることができ、検索条件に対する検索結果の評価機能を向上させることができ、検索結果の利用性が高められる等、有用である。
【図面の簡単な説明】
【０１３０】
【図１】第１の実施の形態に係る情報検索システムを示す図である。
【図２】情報検索システムの構成例を示す図である。
【図３】情報検索装置の構成例を示す図である。
【図４】情報検索装置の外観を示す図である。
【図５】インターネットサーバの構成例を示す図である。
【図６】情報検索システムの情報検索方法及び情報検索プログラムの処理手順の一例を示すフローチャートである。
【図７】検索画面の一例を示す図である。
【図８】設定画面の一例を示す図である。
【図９】検索条件の確認及び設定の処理手順の一例を示すフローチャートである。
【図１０】検索条件の設定の処理手順の一例を示すフローチャートである。
【図１１】検索の処理手順の一例を示すフローチャートである。
【図１２】検索の処理シーケンスの一例を示すフローチャートである。
【図１３】ローカル検索結果の表示画面の一例を示す図である。
【図１４】ＷＥＢ検索結果の表示画面の一例を示す図である。
【図１５】統合検索結果の表示画面の一例を示す図である。
【図１６】ネットワーク接続の処理手順を示すフローチャートである。
【図１７】検索画面の一例を示す図である。
【図１８】第２の実施の形態に係る検索の処理シーケンスの一例を示すフローチャートである。
【図１９】第３の実施の形態に係る情報検索システムの構成例を示す図である。
【図２０】他の実施の形態に係る情報検索システムの構成例を示す図である。
【図２１】他の実施の形態に係る情報検索システムの構成例を示す図である。
【符号の説明】
【０１３１】
２  情報検索システム
４  情報検索装置
６  記憶装置（内部情報源）
１０、１０１、１０２・・・１０ｎ  インターネットサーバ（外部情報源）
１４  処理装置
１８  出力装置
【図１】
2008217600.tif 000003
【図２】
2008217600.tif 000004
【図３】
2008217600.tif 000005
【図４】
2008217600.tif 000006
【図５】
2008217600.tif 000007
【図６】
2008217600.tif 000008
【図７】
2008217600.tif 000009
【図８】
2008217600.tif 000010
【図９】
2008217600.tif 000011
【図１０】
2008217600.tif 000012
【図１１】
2008217600.tif 000013
【図１２】
2008217600.tif 000014
【図１３】
2008217600.tif 000015
【図１４】
2008217600.tif 000016
【図１５】
2008217600.tif 000017
【図１６】
2008217600.tif 000018
【図１７】
2008217600.tif 000019
【図１８】
2008217600.tif 000020
【図１９】
2008217600.tif 000021
【図２０】
2008217600.tif 000022
【図２１】
2008217600.tif 000023